(57)【特許請求の範囲】
【請求項１】
放射線が照射された部位が発光するように形成され、発光した光を伝送する光ファイバと、前記光ファイバの外周を略全面的に覆うように配設された放射線遮蔽層とを含む光ファイバケーブルと、
この光ファイバケーブルの一端が接続された光電変換手段と、
前記光ファイバケーブルの他端が接続された反射手段と、
処理手段とを具備し、
前記放射線遮蔽層は、長さ方向の異なる位置に設けられた複数の隙間を有し、
前記処理手段は、前記光電変換手段からの出力信号に現われる２つの検出信号のズレ時間に基づいて前記複数の隙間のうちのいずれの隙間に放射線が照射されたかを特定する演算を実行するように構成されていることを特徴とする放射線検出システム。
【請求項２】
前記光電変換手段と処理手段との間には、Ａ／Ｄ変換手段が介設され、前記処理手段は前記出力信号をデジタル処理することを特徴とする
請求項１に記載の放射線検出システム。
【請求項３】
前記光電変換手段は、１つの入力端子を備え、前記光ファイバケーブルは、その一端を前記光電変換手段の入力端子に接続されていることを特徴とする
請求項１に記載の放射線検出システム。
【請求項４】
前記光ファイバは、
前記発光した光を伝送する光導波性を有し、一方向に沿って延出するコア、及び、
このコアの外周面を全面的に被覆して前記コア内を伝送させる光を該コア内に閉じ込めると共に、放射線により発光するシンチレータが分散されているクラッド層
を備えることを特徴とする
請求項１に記載の放射線検出システム。
【請求項５】
前記光ファイバは、
前記検出部において発光した光を伝送する光導波性を有し、一方向に沿って延出するコアと、
このコアの外周面を全面的に被覆して前記コア内を伝送させる光を該コア内に閉じ込めるクラッド層と、
このクラッド層の外周面を全面的に被覆すると共に、放射線により発光するシンチレータが分散されている検出層
を備えることを特徴とする
請求項１に記載の放射線検出システム。
【請求項６】
前記光ファイバケーブルは、前記光ファイバの外周面を全面的に覆う補強層を更に備え、前記放射線遮蔽層は、この補強層の外周に配設されていることを特徴とする
請求項４又は５に記載の放射線検出システム。
【請求項７】
前記補強層は、前記一方向に沿って延びる強化繊維の束を備えていることを特徴とする請求項６に記載の放射線検出システム。
【請求項８】
前記強化繊維の束は、その外周をテープにより巻回されることにより、前記光ファイバの外周に固定されていることを特徴とする
請求項７に記載の放射線検出システム。
【請求項９】
前記放射線遮蔽層は、前記補強層の外周面を被覆している事を特徴とする
請求項６に記載の放射線検出システム。
【請求項１０】
前記放射線遮蔽層は、鉛がコーティングされたテープを巻き付けることにより構成されていることを特徴とする
請求項９に記載の放射線検出システム。
【請求項１１】
前記隙間は、前記光ファイバの周方向に沿う全長に渡り形成されていることを特徴とする
請求項４又は５に記載の放射線検出システム。
【請求項１２】
前記放射線遮蔽層の外周には、最外層に位置した状態で、放射線透過性を有する外被層が全周を覆うように配設されていることを特徴とする
請求項４乃至１１の何れか１項に記載の放射線検出システム。
【請求項１３】
前記シンチレータは、無機シンチレータであることを特徴とする請求項４又は５に記載の放射線検出システム。
【請求項１４】
前記シンチレータは、前記クラッド層内にドーピングにより分散されていることを特徴とする
請求項４に記載の放射線検出システム。
【請求項１５】
前記シンチレータは、前記検出層内にドーピングにより分散されていることを特徴とする
請求項５に記載の放射線検出システム。
【請求項１６】
前記放射線は、Ｘ線、α線、β線及びγ線の少なくとも一つを含み、前記シンチレータは、前記Ｘ線、α線、β線及びγ線の何れかにより発光することを特徴とする
請求項４又は５に記載の放射線検出システム。
【請求項１７】
前記クラッド層の外周面には、保護層が被覆されていることを特徴とする
請求項４に記載の放射線検出システム。
【請求項１８】
前記検出層の外周面には、保護層が被覆されていることを特徴とする
請求項５に記載の放射線検出システム。
【請求項１９】
前記コアは、石英ガラスから形成されていることを特徴とする
請求項４又は５に記載の放射線検出システム。
【請求項２０】
前記クラッド層は、透明高分子合成樹脂から形成されていることを特徴とする
請求項４又は５に記載の放射線検出システム。
【請求項２１】
放射線が照射された部位が発光するように形成され、発光した光を伝送する光ファイバと、
前記光ファイバの一端が接続された反射手段と、
前記光ファイバの外周を略全面的に覆うように配設された放射線遮蔽層
とを具備し、
前記放射線遮蔽層は、長さ方向の異なる位置に設けられた複数の隙間を有する
放射線検出具。
【請求項２２】
前記光ファイバは、
前記発光した光を伝送する光導波性を有し、一方向に沿って延出するコア、及び、
このコアの外周面を全面的に被覆して前記コア内を伝送させる光を該コア内に閉じ込めると共に、放射線により発光するシンチレータが分散されているクラッド層
を備えることを特徴とする
請求項２１に記載の放射線検出具。
【請求項２３】
前記光ファイバは、
前記検出部において発光した光を伝送する光導波性を有し、一方向に沿って延出するコアと、
このコアの外周面を全面的に被覆して前記コア内を伝送させる光を該コア内に閉じ込めるクラッド層と、
このクラッド層の外周面を全面的に被覆すると共に、放射線により発光するシンチレータが分散されている検出層
を備えることを特徴とする
請求項２１に記載の放射線検出具。
【発明の詳細な説明】
【０００１】
【発明の属する技術分野】
この発明は、光ファイバケーブルを利用して放射線が漏れ出たことを監視するための放射線検出システムに関する。
【０００２】
【従来の技術】
従来より、放射線を扱う（利用する）施設等においては、放射線漏れは、身体に対するダメージが大きいため、これが極力発生しないように種々の対策が講じられると共に、仮に、放射線漏れが発生した場合には、これを速やかに、且つ、確実に検出するための検出システムが開発され、実用に共されている。
【０００３】
例えば、放射線漏れが発生する可能性のある場所の全てに、周知のシンチレーション計数管のような放射線監視装置を設置し、常時、この監視装置により、放射線漏れを監視するようなシステムが構築され、実用に共されている。
【０００４】
【発明が解決しようとする課題】
しかしながら、このような従前の放射線監視システムにおいては、シンチレーション計数管は、検出箇所に夫々設置しなければならないものである一方で高価なものである。このため、このような監視システムの構築に多大な費用がかかることになる。従って、制限された予算の中では、どうしても、設置すべき所の全てに、監視装置を設置した監視システムを構築することが困難となり、この結果、監視箇所に漏れが出て、完璧な監視システムの構築が困難となり、改善が要望されている。
【０００５】
この発明は、上述した事情に鑑みてなされたもので、この発明の主たる目的は、確実に且つ即座に放射線漏れを監視することの出来る放射線検出システムを提供することである。
【０００６】
また、この発明の他の目的は、放射線漏れを検出することの出来る放射線検出システムを安価に提供することである。
【０００７】
【課題を解決するための手段】
上述した課題を解決し、目的を達成するため、この発明に係わる放射線検出システムは、請求項１の記載によれば、放射線が照射された部位が発光するように形成され、発光した光を伝送する光ファイバケーブルと、この光ファイバケーブルの少なくとも一端が接続された光電変換手段と、この光電変換手段からの出力信号に基づき、放射線が照射されたことを検出する処理手段とを具備することを特徴としている。
【０００８】
また、この発明に係わる放射線検出システムは、請求項２の記載によれば、前記光電変換手段と処理手段との間には、Ａ／Ｄ変換手段が介設され、前記処理手段は前記出力信号をデジタル処理することを特徴としている。
【０００９】
また、この発明に係わる放射線検出システムは、請求項３の記載によれば、前記光電変換手段は、１つの入力端子を備え、前記光ファイバーケーブルは、その一端を前記光電変換手段の入力端子に接続されていることを特徴としている。
【００１０】
また、この発明に係わる放射線検出システムは、請求項４の記載によれば、前記光ファイバケーブルの他端には、反射手段が取り付けられていることを特徴としている。
【００１１】
また、この発明に係わる放射線検出システムは、請求項５の記載によれば、前記光ファイバケーブルの他端は、開放されていることを特徴としている。
【００１２】
また、この発明に係わる放射線検出システムは、請求項６の記載によれば、前記光電変換手段は、２つの入力端子を備え、前記光ファイバケーブルは、その両端を、前記光電変換手段の２つの入力端子に夫々接続されていることを特徴としている。
【００１３】
また、この発明に係わる放射線検出システムは、請求項７の記載によれば、前記光ファイバケーブルは、少なくとも１つの検出部を備え、この検出部に放射線が照射された場合に、該検出部において発光し、発光した光が、前記光ファイバケーブル内を伝送されることを特徴としている。
【００１４】
また、この発明に係わる放射線検出システムは、請求項８の記載によれば、前記光ファイバケーブルは、前記検出部において発光した光を伝送する光伝送性を有し、一方向に沿って延出するコア、及び、このコアの外周面を全面的に被覆すると共に、放射線により発光するシンチレータが分散されているクラッド層を備える光ファイバと、この光ファイバの外周を略全面的に覆うように配設された放射線遮蔽層とを具備し、この放射線遮蔽層には、少なくとも１カ所に隙間が設けられ、該隙間が前記検出部とし備えられていることを特徴としている。
【００１５】
また、この発明に係わる放射線検出システムは、請求項９の記載によれば、前記光ファイバケーブルは、前記検出部において発光した光を伝送する光導波性を有し、一方向に沿って延出するコアと、このコアの外周面を全面的に被覆して前記コア内を伝送させる光を該コア内に閉じ込めるクラッド層と、このクラッド層の外周面を全面的に被覆すると共に、放射線により発光するシンチレータが分散されている検出層を備える光ファイバと、この光ファイバの外周を略全面的に覆うように配設された放射線遮蔽層とを具備し、この放射線遮蔽層には、少なくとも１カ所に隙間が設けられ、該隙間が前記検出部とし備えられていることを特徴としている。
【００１６】
また、この発明に係わる放射線検出システムは、請求項１０の記載によれば、前記光ファイバケーブルは、前記光ファイバの外周面を全面的に覆う補強層を更に備え、前記放射線遮蔽層は、この補強層の外周に配設されていることを特徴としている。
【００１７】
また、この発明に係わる放射線検出システムは、請求項１１の記載によれば、前記補強層は、前記一方向に沿って延びる強化繊維の束を備えていることを特徴としている。
【００１８】
また、この発明に係わる放射線検出システムは、請求項１２の記載によれば、前記強化繊維の束は、その外周をテープにより巻回されることにより、前記光ファイバの外周に固定されていることを特徴としている。
【００１９】
また、この発明に係わる放射線検出システムは、請求項１３の記載によれば、前記放射線遮蔽層は、前記補強層の外周面を被覆している事を特徴としている。
【００２０】
また、この発明に係わる放射線検出システムは、請求項１４の記載によれば、前記放射線遮蔽層は、鉛がコーティングされたテープを巻き付けることにより構成されていることを特徴としている。
【００２１】
また、この発明に係わる放射線検出システムは、請求項１５の記載によれば、前記隙間は、前記光ファイバの周方向に沿う全長に渡り形成されていることを特徴としている。
【００２２】
また、この発明に係わる放射線検出システムは、請求項１６の記載によれば、前記隙間は、前記一方向に沿って所定間隔毎に複数箇所に形成されていることを特徴としている。
【００２３】
また、この発明に係わる放射線検出システムは、請求項１７の記載によれば、前記放射線遮蔽層の外周には、最外層に位置した状態で、放射線透過性を有する外被層が全周を覆うように配設されていることを特徴としている。
【００２４】
また、この発明に係わる放射線検出システムは、請求項１８の記載によれば、前記シンチレータは、無機シンチレータであることを特徴としている。
【００２５】
また、この発明に係わる放射線検出システムは、請求項１９の記載によれば、前記シンチレータは、前記クラッド層内にドーピングにより分散されていることを特徴としている。
【００２６】
また、この発明に係わる放射線検出システムは、請求項２０の記載によれば、前記シンチレータは、前記検出層内にドーピングにより分散されていることを特徴としている。
【００２７】
また、この発明に係わる放射線検出システムは、請求項２１の記載によれば、前記放射線は、Ｘ線、α線、β線及びγ線の少なくとも一つを含み、前記シンチレータは、前記Ｘ線、α線、β線及びγ線の何れかにより発光することを特徴としている。
【００２８】
また、この発明に係わる放射線検出システムは、請求項２２の記載によれば、前記クラッド層の外周面には、保護層が被覆されていることを特徴としている。
【００２９】
また、この発明に係わる放射線検出システムは、請求項２３の記載によれば、前記検出層の外周面には、保護層が被覆されていることを特徴としている。
【００３０】
また、この発明に係わる放射線検出システムは、請求項２４の記載によれば、前記コアは、石英ガラスから形成されていることを特徴としている。
【００３１】
また、この発明に係わる放射線検出システムは、請求項２５の記載によれば、前記クラッド層は、透明高分子合成樹脂から形成されていることを特徴としている。
【００３２】
【発明を実施する形態】
以下に、この発明に係わる放射線検出システムの一実施例の構成を、詳細に説明する。
【００３３】
先ず、放射線検出システムの構成の説明に先立ち、ここで用いられる光ファイバ及び光ファイバケーブルを図１乃至図３を参照して説明する。
【００３４】
図１に示すように、この実施例に用いられる光ファイバー１０は、光伝送性を有すると共に一方向に沿って延出する石英ガラス製のコア１２と、このコア１２の外周面を全面的に密着した状態で被覆するクラッド層１４と、このクラッド層１４の外周面を全面的に被覆してクラッド層１４を保護する保護層１６とを備えて、概略構成されている。
【００３５】
ここで、コア１２は周知の構成であるため、その説明を省略するが、この発明においては、コア１２は、石英ガラス製であることに限定されることなく、例えば、光伝送性が担保され、且つ、耐久性（寿命）が確保されるものであれば、透明プラスチックス製であっても良いことは言うまでもない。
【００３６】
一方、上述したクラッド層１４は、高分子合成樹脂、例えば、ＵＶアクリレイトやパイロコート（商品名：米国スペクトラン・スペシャリティ・オプティックス・カンパニー社製）が用いられている。
【００３７】
そして、この発明の特徴として、クラッド層１４には、Ｘ線、α線、β線及びγ線の何れかにより発光するシンチレータ１８がドーピング等により分散されている。ここで、シンチレータ１８は周知なものであり、その詳細な説明は省略するが、この実施例では、ＮａＩ（Ｔｌ）やＣｓＩ（Ｔｌ）等の無機シンチレータが採用されている。
【００３８】
尚、Ｘ線で発光するシンチレータ１８としては、上述したＮａｌ（Ｔｌ）の他、ＣａＦ2（Ｅｕ）、ＹＡＰ（Ｃｅ）等が知られており、α線で発光するシンチレータ１８としては、上述したＣｓＩ（Ｔｌ）の他、ＢａＦ2等が知られており、β線で発光するシンチレータ１８としては、上述したＣａＦ2（Ｅｕ）やＢａＦ2等が知られており、γ線で発光するシンチレータ１８としては、上述したＮａＩ（Ｔｌ）やＣｓＩ（Ｔｌ）の他、ＢａＦ2、ＣｅＦ3、Ｂ4Ｇ3Ｏ12、ＣｄＷＯ4等が知られている。
【００３９】
また、上述した保護層１６は、所定の機械的強度を有した合成樹脂、例えば、テフゼル（商品名：米国スペクトラン・スペシャリティ・オプティックス・カンパニー社製）から形成されている。尚、この保護層１６は、光ファイバ１０としては必須の構成要素ではなく、これが省略された状態でも、光ファイバ１０が構成されるものである。
【００４０】
以上のようにこの光ファイバ１０は構成されているので、この光ファイバ１０にα線、β線、ガンマ線等の放射線が照射されると、放射線によって、クラッド層１４に分散されたシンチレータ１８に吸収されたエネルギは、そのシンチレータ１８を構成する原子（又は分子）の電離と共に励起に使用されることになる。そして、励起された原子が元の基底状態に戻ったり、電離の結果発生した電子・イオン対が何らかの過程を経て再結合したりした場合に、光子が放出されることになる。この光子の放出が、放射線による発光現象として規定されるものである。
【００４１】
このように放射線の照射に伴いシンチレータ１８が発光することになるが、この光は、クラッド層１４とコア１２との境界面を介して、コア１２内に導入され、このコア１２内をこれの延出方向に沿って伝送されることになる。
【００４２】
ここで、上述した光ファイバ１０は、それ自身の機械的な強度が充分でないため、以下に説明する光ファイバーケーブルの形態で、具体的に使用に供されるものである。
【００４３】
次に、以上のように構成される光ファイバ１０を用いた光ファイバケーブル２０の構成を、図２及び図３を参照して、詳細に説明する。
【００４４】
この光ファイバーケーブル２０は、図２に示すように、上述した光ファイバ１０と同一構成の光ファイバを光ファイバ心線として備えている。そして、この光ファイバーケーブル２０は、光ファイバ１０の外周面に、これを補強するための補強層２２を備えている。この補強層２２は、コア１２の延出方向である一方向に沿って延びる強化繊維の束２２Ａと、この強化繊維の束２２Ａの外周をスパイラルに前面に渡り巻回するテープ２２Ｂとを備え、このテープ２２Ａにより、強化繊維の束２２Ａは光ファイバ１０の外周に固定されている。
【００４５】
また、この補強層２２の外周には、これを略全面的に覆うように放射線遮蔽層２４が被覆されている。ここで、この放射線遮蔽層２４は、この実施例においては、鉛がコーティングされたテープから規定されており、この鉛コーティングテープをスパイラルに、補強層２２の外周に巻回することにより、放射線遮蔽層２４が構成されている。
【００４６】
ここで、図３に示すように、この放射線遮蔽層２４は、上述した一方向に沿って所定間隔毎に複数箇所に渡り隙間２６が形成されている。この隙間２６は、光ファイバ１０の周方向に沿う全長に渡り、即ち、放射線遮蔽層２４の全周に渡り形成されている。各隙間２６の幅は、任意に設定されるものであり、特に後述するように放射線を検出する場合においては、その検出すべき放射線の量に応じて、適宜設定されるものである。
【００４７】
そして、この放射線遮蔽層２４の外周には、最外層となる外被層２８が全周を覆うように配設されている。この外被層２８は、アウタージャケットとして機能するように、硬質の合成樹脂から形成されている。
【００４８】
以上のように光ファイバケーブル２０は構成されているので、この光ファイバケーブル２０にα線、β線、ガンマ線等の放射線が照射されると、放射線は、放射線遮蔽層２４の隙間２６を介して、光ファイバ１０のクラッド層１４に進入し、ここに分散されているシンチレータ１８を、上述したようにして発光させることになる。そして発光された光は、光ファイバ１０のコア１２内を伝送されることになる。
【００４９】
次に、上述した構成の光ファイバケーブル２０を用いて、放射線を検出する（放射線漏れを監視する）ための、この発明の一実施例に係わる放射線検出システム（放射線漏れ監視システム）の構成を、図４を参照して説明する。
【００５０】
この放射線検出システム３０は、図４に示すように、上述した構成の光ファイバケーブル２０を検出具として備え、その一端は、光電変換器３２の１つの光入力端子３２Ａに接続されている。一方、光ファイバケーブル２０の他端には、反射板３４が取り付けられており、ここに到達した光は、この反射板３４により正反射されて、光電変換器３２に向かって伝送されるようになされている。また、この光電変換器３２の電気出力端子は、Ａ／Ｄ変換器３６を介して、情報処理装置３８に接続されている。
【００５１】
ここで、放射線が漏れ出た場合には、この放射線が漏れでた位置から最も近傍位置の隙間２６に対応するクラッド層１４の部位で、発光現象が発生し、この部位からコア１２内を互いに反対方向、即ち、光電変換器３２に向かう方向と、反射板３４に向かう方向とに、光が伝送されることになる。従って、光電変換器３２には、発光された光が直接に入射されると共に、一旦、反射板３４で反射された光が遅れて入射されることになる。
【００５２】
このように、放射線の漏れに際しては、光電変換器３２に２つの光信号が所定時間隔てた状態で入射される現象に鑑み、情報処理装置３８おいては、Ａ／Ｄ変換された電気出力端子からの２つの検出信号の隔たり（ズレ時間）に基づいて、何れの隙間２６で発光したかを特定する演算処理を実行するように構成されている。
【００５３】
尚、この演算処理装置３８には、演算結果を表示するためのディスプレイ装置４０と警報装置４２とが接続されており、放射線の漏れが検出された場合には、警報装置４２を介して、所定の警報が発せられると共に、ディスプレイ装置４０に、漏れ出た位置が表示されるようになされている。
【００５４】
このようにして、この放射線検出システム３０を用いることにより、例えば、原子力発電所、放射線を扱う研究所や工場や医院において、放射線の漏れでが速やかに検出され、放射線による被曝事故が未然に防止されることになる。詳細には、例えば、放射線が漏れ出る部位に接続された排気ダクトや排水ダクトに、この光ファイバケーブル２０をスパイラル状に巻き付けつつ張り巡らせることにより、何れの位置で放射線が漏れ出たかを簡単に且つ即座に検出することが可能となるものである。
【００５５】
しかも、このような検出具として作用する光ファイバケーブル２０は非常に安価に製造できるものであり、放射線漏れが心配される部位の全てに渡り、この光ファイバケーブルを張り巡らせたとしても、その費用は高価なものとはならず、決められた予算内で、極めて効果的に放射線検出システムを構築することが可能となり、安全性が高い次元で担保されることになる。
【００５６】
一方、宇宙空間にある宇宙衛星等においては、太陽からの太陽風に含まれる放射線から搭載機器を守るために、所定の放射線遮断手段が施されているものであるが、この放射線遮断手段が何らかの原因で破壊された場合に、搭載機器が放射線により被曝し、性能劣化が発生する可能性があり、しかも、何れの機器が被曝したかは、地上からは容易に判別し難い状況にある。しかしながら、この放射線検出システム３０を利用することにより、何れの機器が放射線により被曝した場合には、この光ファイバケーブル２０も被曝した搭載機器の近傍位置にある隙間２６から光ファイバ１０内に放射線が進入することになる。従って、この放射線検出システム３０を利用することにより、何れの搭載機器が放射線により被曝したかを、容易に検出することが出きることとなり、この点における利用価値は非常に高いものである。
【００５７】
尚、この発明は、上述した構成に限定されることなく、この発明の要旨を逸脱しない範囲で、種々変形可能であることは言うまでもない。
【００５８】
例えば、上述した実施例の光ファイバ１０においては、シンチレータ１８は、クラッド層１４内に分散されるように説明したが、この発明は、このような構成に限定されることなく、例えば図５に第１の変形例として示すように、クラッド層１４の外周面を全面的に被覆されるように設けられた検出層１９を備え、この検出層１９内に、シンチレータ１８を分散させるように構成しても良い。この場合、保護層１６は、検出層１９の外周面を覆うように設けられることは言うまでもない。
【００５９】
また、、上述した一実施例の放射線検出システム３０においては、光ファイバケーブル２０の他端に、反射板３４を設けるように説明したが、この発明は、このような構成に限定されることなく、例えば、図６に第２の変形例として示すように、光ファイバケーブル２０の他端に反射板３４を取り付けることなく、オープンな状態に放置するように構成しても良い。
【００６０】
この場合には、何れの隙間位置で放射線が検出されたかを演算することは出来ないが、少なくとも、位置は関係なくとも放射線漏れが発生したことの事実のみを検出することが要求される場合には、有効である。特に、このように、放射線漏れ位置の演算をする必要がない場合には、情報処理装置３８の構成も簡易化され、それだけ安価に構成することが可能となり、更なるコストの低廉化を達成することが可能となる。
【００６１】
また、上述した一実施例においては、光電変換器３２は１つの光入力端子３２Ａを有し、光ファイバケーブル２０の一端が、この入力端子に接続されるように説明したが、この発明は、このような構成に限定されることなく、例えば、図７に第３の変形例として示すように、光電変換器３２は２つの入力端子３２Ａ、３２Ｂを有し、光ファイバケーブル２０の両端が、２つの入力端子３２Ａ、３２Ｂに夫々接続されるように構成しても良い。この場合、光ファイバケーブル２０はループ状に用いられることになる。
【００６２】
以上詳述したように、この発明によれば、確実に且つ即座に放射線漏れを監視することの出来る放射線検出システムが提供されることになる。
【００６３】
また、この発明によれば、放射線漏れを検出することの出来る放射線検出システムが安価に提供されることになる。
【００６４】
【図面の簡単な説明】
【図１】この発明に係わる放射線検出システムに用いられる光ファイバケーブルの光ファイバの構成を示す断面図である。
【図２】この発明に係わる放射線検出システムに用いられる光ファイバケーブルの構成を一部破断した状態で示す斜視図である。
【図３】図２に示す光ファイバケーブルの隙間の配設状態を示す断面図である。
【図４】この発明に係わる放射線検出システムの一実施例の構成を概略的に示すシステム図である。
【図５】図１に示す光ファイバの第１の変形例に係わる構成を示す断面図である。
【図６】この発明に係わる放射線検出システムの第２の変形例に係わる構成を概略的に示すシステム図である。
【図７】この発明に係わる放射線検出システムの第３の変形例に係わる構成を概略的に示すシステム図である。
【符号の説明】
１０    光ファイバ
１２    コア
１４    クラッド層
１６    保護層
１８    シンチレータ
１９    検出層
２０    光ファイバケーブル
２２    補強層
２２Ａ    強化繊維の束
２２Ｂ    テープ
２４    放射線遮蔽層
２６    隙間
２８    外被層
３０    放射線検出システム
３２    光電変換器
３２Ａ  （第１の）光入力端子
３２Ｂ  第２の光入力端子
３４    反射板
３６    Ａ／Ｄ変換器
３８    情報処理装置
４０    ディスプレイ装置
４２    警報装置
【図１】
0003771058.tif 000002
【図３】
0003771058.tif 000003
【図２】
0003771058.tif 000004
【図４】
0003771058.tif 000005
【図５】
0003771058.tif 000006
【図６】
0003771058.tif 000007
【図７】
0003771058.tif 000008